(57)【要約】      （修正有）【課題】夏季においては湿気が滞留しにくく、冬季においては保温性を備え、クッション性を有し、適度な沈み込みと安眠性を向上することのできるマットレス基材を提供する。【解決手段】マットレス基材３は、上下３層からなる平面長方形状のものとされる。上層側に配設される上層体４は、上面全体に所定ピッチで凹凸部を備えることとし、一方下面は扁平な平面状をなすウレタン材で形成される。中層体５は、その上面および下面において、長手方向（Ｙ方向）と交差する方向（Ｘ方向）に沿って延びる凹溝８を長手方向（Ｙ方向）に所定ピッチで複数本備え、全体ウレタン材で形成される。下層体６は上面および下面が扁平な平面状をなす全体ウレタン材で形成される。上層体４、中層体５、下層体６のそれぞれは、相互に接着材にて接着される。【選択図】図２
0003155959.tif 000002
【実用新案登録請求の範囲】
【請求項１】
人が横臥し、床面に敷設される全体平面形状をなすマットレスの内部に収容され、全体を袋状のカバー材にて被包される全体長方形状で扁平なマットレス基材であって、人が横臥する上層側からマットレスが敷設される床面下層側へと上下３層からなる平面長方形状のものとされ、上層側に配設される上層体は、上面全体に所定ピッチで凹凸部を備えることとし、一方下面は扁平な平面上をなす全体ウレタン材にて形成され、上層体の下方に配設される中層体は、その上面および下面において、長手方向と交差する方向に沿って延びる凹溝を長手方向に所定ピッチで複数本備えることとし、全体ウレタン材にて形成され、中層体の下方に配設される下層体は、少なくとも上面が扁平な平面状をなす全体ウレタン材で形成され、上層体、中層体、下層体のそれぞれは相互に接着材にて接着されるものであるマットレス基材。
【請求項２】
請求項１において、上層体の上面に備えられる凹凸部は、長手方向および長手方向と交差する方向に所定ピッチで突出する複数の突条を配設することにより形成され、各突条空間は１ないし２ｃｍに設定することとしてなるマットレス基材。
【請求項３】
請求項１において、上層体の上面に備えられる凹凸部は、長手方向と交差する方向に沿って延びる凹溝を、長手方向に所定ピッチで複数本配設することにより形成され、隣り合う各凹溝の中心部間の長さを２ないし４ｃｍに設定することとしてなるマットレス基材。
【請求項４】
請求項１において、中層体の上面および下面に形成される各凹溝は隣り合う各凹溝の中に中心部間の長さを３ないし６ｃｍ設定し、マットレス長手方向での幅を３ないし６ｃｍの範囲に、深さを３ないし４ｃｍの範囲に設定することとしてなるマットレス基材。
【考案の詳細な説明】
【技術分野】
【０００１】
本項案は、人が横臥し、床面に敷設される全体平面形状をなし、寝具として用いられるマットレスの内部に収容されるマットレス基材に関する。
【背景技術】
【０００２】
従来、人が横臥し、床面に敷設されるマットレスには、通常ポリウレタンフォームなどにより形成されるマットレス基材が配設される。マットレス基材は全体袋状のカバー材に被包されるようにしてマットレスの内部に収容され、これにより全体平面形状のマットレスを構成するものとされる。
【０００３】
マットレス基材は、通常全体長方形状で扁平なものとされ、マットレスに人が横臥した状態において、人の体全体が適度に沈み込むことを可能とするため、ある程度のクッション性を持たせようとしている。このため、ポリウレタンフォームなど全体をクッション性を有する材質にて形成される。またある程度の通気性を確保できるよう表面に凹凸を形成し、併せて全体のクッション性を保持させるようにし、例えば下記特許文献１に示すように多数の凹凸を表面に備えた平面長方形状のクッション材を２枚以上貼り合わせるように積層し、マットレス基材を構成するものも存在する。
【先行技術文献】
【特許文献】
【０００４】
【特許文献１】特開２００５−８７２３９
【０００５】
ところでマットレスは、夏季の高温、高湿度の時期においてはその通気を促進し、マットレス基材の内部に湿気がこもらないようにすることが望まれる一方、冬季の低温、低湿度の時期においてはむしろ保温性が保持されることが望ましい。  
【０００６】
本願の考案者は、夏季と冬季においてこうしたそれぞれ矛盾する要求に応えられるマットレス基材を開発する中、夏季において最も湿気が滞留し易いマットレス基材の中層部分の通気を確保するとともに、冬季においては保温性を備えるマットレス基材を開発するに至ったものである。
【考案の概要】
【考案が解決しようとする課題】
【０００７】
すなわち、本考案は夏季においては湿気が滞留しにくく、冬季においては保温性を備え、クッション性を有し、適度な沈み込みと安眠性を向上することのできるマットレス基材の提供を目的とするものである。
【課題を解決するための手段】
【０００８】
上記目的を達成するため、本考案の請求項１は、人が横臥し、床面に敷設される全体平面形状をなすマットレスの内部に収容され、全体を袋状のカバー材にて被包される全体長方形状で扁平なマットレス基材であって、人が横臥する上層側からマットレスが敷設される床面下層側へと上下３層からなる平面長方形状のものとされ、上層側に配設される上層体は、上面全体に所定ピッチで凹凸部を備えることとし、一方下面は扁平な平面上をなす全体ウレタン材にて形成され、上層体の下方に配設される中層体は、その上面および下面において、長手方向と交差する方向に沿って延びる凹溝を長手方向に所定ピッチで複数本備えることとし、全体ウレタン材にて形成され、中層体の下方に配設される下層体は、少なくとも上面が扁平な平面状をなす全体ウレタン材で形成され、上層体、中層体、下層体のそれぞれは相互に接着材にて接着されるものであるマットレス基材としている。
【０００９】
また本考案の請求項２は、請求項１において、上層体の上面に備えられる凹凸部は、長手方向および長手方向と交差する方向に所定ピッチで突出する複数の突条を配設することにより形成され、各突条空間は１ないし２ｃｍに設定することとしてなるマットレス基材としている。
【００１０】
また本考案の請求項３は、請求項１において、上層体の上面に備えられる凹凸部は、長手方向と交差する方向に沿って延びる凹溝を、長手方向に所定ピッチで複数本配設することにより形成され、隣り合う各凹溝の中心部間の長さを２ないし４ｃｍに設定することとしてなるマットレス基材としている。
【００１１】
さらに本考案の請求項４は、請求項１において、中層体の上面および下面に形成される各凹溝は隣り合う各凹溝の中に中心部間の長さを３ないし６ｃｍ設定し、マットレス長手方向での幅を３ないし６ｃｍの範囲に、深さを３ないし４ｃｍの範囲に設定することとしてなるマットレス基材としている。
【考案の効果】
【００１２】
本考案の請求項１によれば、マットレス基材を、人が横臥する上層側からマットレスが敷設される床面下層側へと上下３層からなる平面長方形状のものとし、上層体、中層体、下層体のそれぞれを相互に接着材にて接着して形成することとし、夏季において最も湿気が滞留し易い中層体の部分において、その上面および下面にあって長手方向と交差する方向に沿って延びる凹溝を長手方向に所定ピッチで複数本備えることとしたものである。これにより、従来より夏季において最も湿気が滞留し易い部分とされてきたマットレス基材の中層部分の通気が良好となる。一方、人が横臥する上層体においては、上面全体に所定ピッチで凹凸部を備えることとしたため、比較的乾燥する冬季においては、湿気が多い夏季に比べて横臥する人との間に適度な空間が画成され、その空間をもって冬季には人体から伝導される熱が滞留し、マットレス基材全体の保温性を保持させることが可能となる。
【００１３】
こうした請求項１に係る効果は、上層体の上面に備えられる凹凸部を、長手方向および長手方向と交差する方向に所定ピッチで突出する複数の空条を配設することにより形成し、各突条間を１ないし２ｃｍに設定することにより、より効率的に達成することが可能となる。
【００１４】
またこうした請求項１に係る効果は、上層体の上面に備えられる凹凸部を、長手方向と交差する方向に沿って延びる凹溝を長手方向に所定ピッチで複数本配設することにより形成し、隣り合う各凹溝の中心部間の長さを２ないし４ｃｍに設定することにより、より効率的に達成することが可能となる。
【００１５】
またこうした請求項１に係る効果は、中層体の上面および下面に形成される各凹溝を、隣り合う各凹溝の中心部間の長さを３ないし６ｃｍに設定し、マットレス長手方向での幅を３ないし６ｃｍの範囲に、深さを３ないし４ｃｍの範囲に設定することにより、より効率的に達成することが可能となる。
【図面の簡単な説明】
【００１６】
【図１】本項案の実施形態に係るマットレス基材を内部に収容してなるマットレスを示す斜視図である。
【図２】マットレス基材の全体を示す斜視図である。
【図３】マットレス基材の他の実施形態を示す図２と同様の斜視図である。
【考案を実施するための形態】
【００１７】
以下、本考案の実施形態を図１および図２に基づいて説明する。図１に示すマットレス１は、その上面に人が横臥するものとされ、床面２に敷設して使用される。全体平面形状をなすマットレス１は、図２に示す全体扁平で長方形状をなすマットレス基材３を全体袋状のカバー材３Ａで被包し、形成される。カバー材３Ａは布材等で形成され、またマットレス基材３はポリウレタンフォームなどのウレタン材で形成される。
【００１８】
マットレス基材３は、上下３層からなる平面長方形状のものとされ、図２に示すように人が横臥する上層側からマットレス１が敷設される床面２の下層側へと順に、上層体４、中層体５、下側体６をそれぞれ備え、相互に接着材を用いてそれぞれ接着して構成される。
【００１９】
上層側に配設される上層体４は、上面全体に所定ピッチをもって波形の凹凸部を備えることとし、一方下面は扁平な平面上のものとされる。ここで凹凸部は、図２に示すようにマットレス基材３の長手方向（Ｙ方向）および長手方向と交差する方向（Ｘ方向）に沿って所定ピッチで波形に突出する複数の突条７を配設することにより形成され、各突条７間の長さＰＸあるいはＰＹは、１ないし２ｃｍと多少短めな長さからなるピッチをもって、配列されるものとされる。
【００２０】
上層体４の下方に配設される中層体５は、その上面および下面において長手方向（Ｙ方向）と交差する方向（Ｘ方向）に沿って延びる凹溝８を長手方向（Ｙ方向）に所定ピッチで複数本備えるものとされる。ここで中層体５の上面に形成される各凹溝８、中層体５の下面に形成される各凹溝８は、隣り合う各凹溝８の中心部間の長さＰ１あるいはＰ２を３ないし６ｃｍに設定し、図２に示す実施形態において前記各突条７間の長さＰＸあるいはＰＹの長さ１ないし２ｃｍよりも長めとし、Ｐ１については４ｃｍ、Ｐ２については５ｃｍに設定している。また各凹溝８のマットレス１の長手方向（Ｙ方向）での幅Ｗ１を３ないし６ｃｍの範囲に設定し、図２に示す実施形態においては３．５ｃｍ程度に設定している。さらに各凹溝８の深さＤは３ないし４ｃｍの範囲に設定するようにしている。
【００２１】
さらに中層体５の下方に配設される下層体６は、上面および下面が扁平な平面状をなすウレタン材にて形成される。このようにして形成されるマットレス基材３は、同サイズの長方形状をなす上層体４、中層体５、下層体６を接着材をもって相互に接着する状態で形成され、こうして形成されるマットレス基材３を内部に収容してなるマットレス１は、床面２に敷設され、その上面に人が横臥する状態において次のような各効果を備えるものとされる。
【００２２】
先ずマットレス基材３は、上下３層からなる上層体４、中層体５、下層体６により形成されるため、先ず夏季において最も湿気が滞留し易い部分とされる中層体５の上面および下面において、長手方向（Ｙ方向）と交差する方向（Ｘ方向）に延びる凹溝８の存在により、中層部分の通気が良好となり、湿気の滞留が防止できることとなる。すなわち、中層部分において長尺とされる長手方向（Ｙ方向）に比し、短い長さとされる交差する方向（Ｘ方向）で凹溝８が存在するため、この凹溝８部分で空気が流動し、循環し易いものとされる。
【００２３】
一方、人が横臥する上層体４の上面側においては、上面全体に所定ピッチをもって突条７がＸ方向並びにＹ方向に沿って配列形成され、凹凸部が配設されることとなる。この結果、比較的乾燥する冬季においては、湿気が多い夏季に比べて横臥する人との間に適度な空間が画成され、その空間をもって冬季には人体から伝導される熱が滞留し、マットレス基材３全体の保温性を保持させることが可能となる。こうした効果については、本願の発明者が様々な試行錯誤を繰り返した結果、上層体４の突条７間の長さＰＸ並びにＰＹを１ないし２ｃｍに設定し、また中層体５の上面および下面に形成される凹溝８を、隣り合う各凹溝８の中心部間の長さＰ１あるいはＰ２を３ないし６ｃｍに、また凹溝８のマットレス１の長手方向（Ｙ方向）での幅Ｗ１を３ないし６ｃｍの範囲に設定し、さらに凹溝の深さＤを３ないし４ｃｍの範囲に設定することにより良好に達成することが確認できた。
【００２４】
これにより夏季においては湿気が滞留しにくく、冬季においては保温性を備え、クッション性を有し、適度な沈み込みと安眠性を向上することのできるマットレス基材３を提供することが可能となる。
【００２５】
なお、上記実施形態においては、中層体５の下面に配設される下層体６の上面および下面をそれぞれ扁平な平面状のものとしているが、少なくとも上面側のみ平面状のものとし、下面側を上層体４の上面のように多数の凹凸部を備えるようにしてもよい。
【００２６】
図３に示すマットレス基材９は、上記実施形態に係るマットレス基材３の変形例に係る実施形態であり、上層体１０、中層体５、下層体６をそれぞれ備え、相互に接着材を用いてそれぞれ接着して構成される。すなわち、このマットレス基材９は、上層体１０以外の中層体５および下層体６の構成について、前記マットレス基材３と同様のものとしている。このため中層体１０については、中層体５並びに下層体６と同様にウレタン材で形成され、上層体１０の上面には凹凸部が備えられる。
【００２７】
凹凸部は、長手方向（Ｙ方向）と交差する方向（Ｘ方向）に延び、長手方向（Ｙ方向）に所定ピッチで突出する複数の波形の突条１１を配設することにより形成される。各突条１１間は隣り合うＹ方向での間隔Ｐ３を１ないし２ｃｍに設定するようにしている。このようにして形成されるマットレス基材９においても、比較的乾燥する冬季においては、湿気が多い夏季に比べて横臥する人との間に適度な空間が画成され、その空間をもって冬季には人体から伝導される熱が滞留し、マットレス基材９全体の保温性を保持させることが可能となる。
【００２８】
なお、突条１１については長手方向（Ｙ方向）と交差する方向（Ｘ方向）に延びるものばかりでなく、長手方向（Ｙ方向）に延びるように形成するようにしてもよい。
【産業上の利用可能性】
【００２９】
以上のように、本考案に係るマットレス基材３は、夏冬兼用で用いられるマットレスの内部に収容するとして好適である。
【符合の説明】
【００３０】
１          マットレス
２          床面
３、９      マットレス基材
３Ａ        カバー材
４、１０    上層体
５          中層体
６          下層体
７、１１    突条
８          凹溝
【図１】
0003155959.tif 000003
【図２】
0003155959.tif 000004
【図３】
0003155959.tif 000005